(57)【要約】【課題】輸送の効率を向上できる保冷ケースを提供する。【解決手段】保冷ケース１０は、筒状の胴部ｇ１の上部に突出した細首部ｇ２の上端に設けた開口が止栓されて液体薬品が内部に充填された複数の瓶Ｇを収容する。保冷ケース１０は、略直方体の第１収容ケース１と第２収容ケース２を備える。第１収容ケース１は、瓶Ｇの胴部１ｇを収容する凹部１ａを有する。第２収容ケース２は、第１収容ケース１の上面に密着するように載置する。第２収容ケース２は、第１収容室２ａと第２収容室２ｂを有する。第１収容室２ａは、底面が開口されて胴部ｇ１の上部が当接する内壁２１ａを設ける。第２収容室２ｂは、第１収容室２ａに連通して細首部ｇ２を包囲する。第２収容ケース２は、上面が開口されて冷気が流入可能な第１冷気流入路２１であって、第２収容室２ｂに貫通する第１冷気流入路２１を有する。【選択図】図１
2010060151.tif 000002
【特許請求の範囲】
【請求項１】
筒状の胴部の上部に突出した細首部の上端に設けた開口が止栓されて液体薬品が内部に充填された複数の瓶を収容する保冷ケースであって、
前記瓶が載置されて当該胴部を高さ方向の途上まで収容する凹部を有する略直方体の第１収容ケースと、
この第１収容ケースの上面に密着するように載置する第２収容ケースであって、底面が開口されて前記胴部の上部が部分的に当接する内壁を設ける第１収容室、及びこの第１収容室に連通して前記細首部を包囲する第２収容室を有する略直方体の第２収容ケースと、備え、
前記第２収容ケースは、上面が開口されて冷気が流入可能な第１冷気流入路であって、前記第２収容室に貫通する第１冷気流入路を有する保冷ケース。
【請求項２】
前記第２収容ケースは、上面の中央部が開口されて冷気が流入可能な第２冷気流入路であって、当該上面から底面に貫通すると共に、当該底面から前記第１収容室に連通する溝を設ける第２冷気流入路を有する請求項１記載の保冷ケース。
【請求項３】
前記第２収容ケースに載置して、前記第１冷気流入路及び前記第２冷気流入路に冷気を送出する冷却材を収容する保冷箱を更に備える請求項２記載の保冷ケース。
【請求項４】
前記保冷箱は、上面が開口されて前記冷却材を収容する発泡材で成形される略直方体の本体、及びこの本体の開口を密閉する発泡材で成形される蓋体からなり、
前記本体は、前記第１冷気流入路に接続する第１冷気排出口と、前記第２冷気流入路に接続する第２冷気排出口と、を有し、
前記第１冷気排出口及び前記第２冷気排出口は、前記本体の底部に開口している請求項３記載の保冷ケース。
【請求項５】
前記冷却材は、冷却剤が袋詰めされた複数の冷却パックからなり、
前記本体は、これらの冷却パックの移動が困難な仕切り部材を有する請求項４記載の保冷ケース。
【請求項６】
前記第１収容ケース、前記第２収容ケース、及び前記保冷箱の順番に積層されて、ダンボール箱に箱詰めされる請求項３から５のいずれかに記載の保冷ケース。
【発明の詳細な説明】
【技術分野】
【０００１】
本発明は、保冷ケースに関する。特に、薬品などが充填された複数の瓶を所定の低温を維持して輸送するための保冷ケースの構造に関する。
【背景技術】
【０００２】
例えば、レジストと呼ばれる液体は、３リットル程度の容量を有する、いわゆるガロン瓶に充填されて輸送される。そして、レジストの品質を維持するために、レジストが充填されたガロン瓶は、所定の低温に保持する保冷ケースに収容される。更に、この保冷ケースは、ダンボール箱などで梱包されて輸送されている。
【０００３】
複数の薬品用の瓶を低温下で維持して輸送する保冷ケースとしては、全体の重量及び容積を比較的小さくすることが可能であり、保冷性に優れ、内部の温度が均一に維持され、かつ作業性及び機械的耐久性が良好な輸送用の保冷ケースが開示されている（例えば、特許文献１参照）。
【０００４】
特許文献１による保冷ケースは、非金属からなる外層と発泡樹脂からなる内層部で構成されている。内層部は、２分割されて複数の薬品用の瓶を保持可能に成形されている。又、内層部の中央部には、内層部全体の高さに対して２０％以上の高さの位置にかさ上げされた底部を有し、内層部全体の体積の５〜２０％の容積の独立した冷却材室を設けている。更に、冷却材室と各隔室との間には、冷却材室底部より冷却材室の高さの４０％以下の高さの位置に、冷却材室の側面積の１から４％の大きさの通気孔を冷却材室の側面に有している。
【特許文献１】特開平１１−９１８２８号公報
【発明の開示】
【発明が解決しようとする課題】
【０００５】
特許文献１の実施例２には、内層部が４室に区画されて、４つの薬品用の瓶が配置された保冷ケースが開示されている。実施例２の保冷ケースは、一対の薬品用の瓶を仕切るように冷却材室を中央部に設けているので、保冷ケースの床面積を大きくしている。
【０００６】
保冷ケースの床面積を大きくすることなく、複数の薬品用の瓶を収容できれば、搭載面積が規定されたパレットに積載する保冷ケースの個数も増えて、輸送の効率も向上できる。そして、以上のことが本発明の課題といってよい。
【０００７】
本発明は、このような問題に鑑みてなされたものであり、薬品などが充填された複数の瓶を所定の低温を維持して輸送するための保冷ケースであって、輸送の効率を向上できる保冷ケースを提供することを目的とする。
【課題を解決するための手段】
【０００８】
本発明者は、上下に分割された一組の発泡ケースに複数の薬品用の瓶を収容し、瓶の周囲に冷気が流入可能に発泡ケースの上部を開口することにより、輸送の効率を向上できることを見出し、これに基づいて、以下のような新たな保冷ケースを発明するに至った。
【０００９】
（１）  筒状の胴部の上部に突出した細首部の上端に設けた開口が止栓されて液体薬品が内部に充填された複数の瓶を収容する保冷ケースであって、前記瓶が載置されて当該胴部を高さ方向の途上まで収容する凹部を有する略直方体の第１収容ケースと、この第１収容ケースの上面に密着するように載置する第２収容ケースであって、底面が開口されて前記胴部の上部が部分的に当接する内壁を設ける第１収容室、及びこの第１収容室に連通して前記細首部を包囲する第２収容室を有する略直方体の第２収容ケースと、備え、前記第２収容ケースは、上面が開口されて冷気が流入可能な第１冷気流入路であって、前記第２収容室に貫通する第１冷気流入路を有する保冷ケース。
【００１０】
（１）の発明による保冷ケースは、液体薬品が内部に充填された複数の瓶を収容する。この瓶は、筒状の胴部の上部に突出した細首部の上端に設けた開口が止栓されている。
【００１１】
（１）の発明による保冷ケースは、略直方体の第１収容ケースと略直方体の第２収容ケースを備えている。第１収容ケースは、瓶が載置される凹部を有している。この凹部は、瓶の胴部を高さ方向の途上まで収容する。
【００１２】
第２収容ケースは、第１収容ケースの上面に密着するように載置している。そして、第２収容ケースは、第１収容室と第２収容室を有している。第１収容室は、底面が開口されており、胴部の上部が部分的に当接する内壁を設けている。第２収容室は、第１収容室に連通しており、瓶の細首部を包囲している。
【００１３】
又、第２収容ケースは、第２収容室に貫通する第１冷気流入路を有している。第１冷気流入路は、第２収容ケースの上面が開口されて冷気が流入可能となっている。
【００１４】
ここで、瓶は、筒状の胴部とこの胴部の上部に突出した細首部とで構成されてよく、細首部の上端に設けた開口が止栓されている。筒状の胴部は、直円柱又は角柱体の内のいずれか一方の形状を含むことができる。胴部の上部と細首部の基端部とは、円錐体状の傾斜面で接続されてよく、内部に充填された液体薬品を排出することが容易になる。
【００１５】
瓶は細首部を有するとは、口が大きく胴が丸く深い土器・陶器と区別している。瓶は、ガラス瓶が好ましく、液体薬品を入れる容器に適している。又、この瓶は、細首部に指を挿入可能な取っ手を設けることを排除しない。
【００１６】
細首部の上端に設けた開口は、キャップ、及びコルク又は口金で止栓されよく、輸送途上の液体薬品の漏洩を防止できる。保冷ケースは瓶を収容するとは、瓶を耐薬品の袋に包装して収容することを排除しない。
【００１７】
第１収容ケース及び第２収容ケースは、軽量であり断熱性と緩衝性を兼ね備えた材質からなることが好ましく、このような材質としては、発泡樹脂が挙げられる。発泡樹脂の代表的なものである発泡スチロールは、合成樹脂素材の一種で気泡を含ませたポリスチレンである。発泡スチロールは、成形が容易であり、破損しやすい物品の緩衝・梱包材として適している。
【００１８】
第１収容ケース及び第２収容ケースは、対向する一対の金型で成形可能な形状とすることが好ましく、対向する一対の金型以上の他の金型を必要とすると、金型の費用が増大する。
【００１９】
第１収容ケースは、瓶が載置される凹部を有しているとは、凹部に瓶が載置されることにより瓶の立脚姿勢が維持されることを意味している。凹部の内壁は、瓶の胴部に部分的に当接することが好ましく、凹部の内壁に複数の溝を設けることにより、この溝に冷気を導入することも可能になる。
【００２０】
第２収容ケースは、第１収容ケースの上面に密着するように載置しているとは、第１収容ケースと第２収容ケースの境界から冷気が逃げることを防止することを意味している。第１収容ケースの上面と第２収容ケースの底面とは、互いに嵌合する段差を設けて密着してよく、第１収容ケースの上面に凸部を設け、第２収容ケースの底面に凹部を設け、この凸部とこの凹部が嵌合するようにしてもよい。
【００２１】
例えば、第１収容室は、第２収容ケースの底面が開口されて上面に向かって縮径する円錐体状の内壁を形成してよく、胴部の上部が当接する。そして、第１収容ケースと第２収容ケースとをバンドなどで締結すれば、瓶は、第１収容ケースの凹部と第２収容ケースの第１収容室で挟持されるので、瓶の姿勢が維持される。
【００２２】
第１収容室の内壁は、胴部の上部に部分的に当接するとは、第１収容室の内壁が胴部の上部を密閉しないことを意味しており、胴部の周囲に冷気が流通可能な通路が確保されることを意味している。例えば、第１収容室の内壁に複数の溝を形成して、第１冷気流入路に連通できる。
【００２３】
同様に、第２収容室は細首部を包囲するとは、第２収容室の内壁が細首部を密閉しないことを意味しており、細首部の周囲に冷気が流通可能な通路が確保されることを意味している。第２収容室が上面に向けて貫通しており、この貫通穴に冷気が流入することにより、瓶を保冷できる。
【００２４】
（１）の発明による保冷ケースは、第１収容ケースの４隅に瓶を配置する形態を考えることができる。この場合、特許文献１の実施例２のように、一対の瓶を仕切るように冷却材室を中央部に設けていないので、第１収容ケースの床面積を小さくできる。
【００２５】
そして、後述するように、冷却材を収容する保冷箱を第２収容ケースに載置すれば、冷却材の冷気が第１冷気流入路に流入して、瓶を保冷できる。第２収容ケースに載置される保冷箱は、後述するような実施形態に限定されない。例えば、保冷箱は、底面が多孔板又は網目板などで構成してよく、この保冷箱にドライアイス又は複数の冷却パックを収容してよく、保冷箱の底面から第１冷気流入路に冷気が流入して瓶を冷却できる。
【００２６】
（１）の発明による保冷ケースは、内部に冷却材室を設けることなく、瓶の周囲に冷気が流入可能な開口を上面に設けているので、保冷ケースの床面積を大きくすることなく、複数の薬品用の瓶を収容できる。したがって、搭載面積が規定されたパレットに積載する保冷ケースの個数も増えて、輸送の効率も向上できる。
【００２７】
（２）  前記第２収容ケースは、上面の中央部が開口されて冷気が流入可能な第２冷気流入路であって、当該上面から底面に貫通すると共に、当該底面から前記第１収容室に連通する溝を設ける第２冷気流入路を有する（１）記載の保冷ケース。
【００２８】
（２）の発明による保冷ケースは、第２収容ケースが第２冷気流入路を有している。第２冷気流入路は、第２収容ケースの上面の中央部が開口されて冷気が流入可能となっている。第２冷気流入路は、第２収容ケースの上面から底面に貫通しており、この底面から第１収容室に連通する溝を設けている。
【００２９】
（２）の発明による保冷ケースは、第２冷気流入路に流入する冷気が第１収容室に流入するので、瓶の保冷を援助できる。又、（２）の発明による保冷ケースは、第２冷気流入路が複数の第１収容室を相互に連通しているので、複数の瓶の保冷温度を均等化できる。
【００３０】
（３）  前記第２収容ケースに載置して、前記第１冷気流入路及び前記第２冷気流入路に冷気を送出する冷却材を収容する保冷箱を更に備える（２）記載の保冷ケース。
【００３１】
保冷箱は、第１収容ケース及び第２収容ケースと同じ材質からなることが好ましく、発泡スチロールで成形されることが好ましい。冷却材は、ドライアイス又は冷却パックであってよく、複数の瓶の輸送時間及び保冷温度範囲に対応して、必要量又は必要個数の冷却材が保冷箱に収容される。
【００３２】
（４）  前記保冷箱は、上面が開口されて前記冷却材を収容する発泡材で成形される略直方体の本体、及びこの本体の開口を密閉する発泡材で成形される蓋体からなり、前記本体は、前記第１冷気流入路に接続する第１冷気排出口と、前記第２冷気流入路に接続する第２冷気排出口と、を有し、前記第１冷気排出口及び前記第２冷気排出口は、前記本体の底部に開口している（３）記載の保冷ケース。
【００３３】
（４）の発明による保冷ケースは、保冷箱が略直方体の本体と蓋体からなっている。本体は、発泡材で成形されており、上面が開口されて冷却材を収容している。蓋体は、発泡材で成形されており、本体の開口を密閉している。
【００３４】
（４）の発明による保冷ケースは、保冷箱の本体が第１冷気排出口と第２冷気排出口を有している。第１冷気排出口は、第１冷気流入路に接続する。第２冷気排出口は、第２冷気流入路に接続する。そして、第１冷気排出口及び第２冷気排出口は、本体の底部に開口している。
【００３５】
（４）の発明による保冷ケースは、保冷箱の内部の冷気を外部に漏洩することなく、冷気を確実に第１冷気流入路及び第２冷気流入路に流入できる。
【００３６】
（５）  前記冷却材は、冷却剤が袋詰めされた複数の冷却パックからなり、前記本体は、これらの冷却パックの移動が困難な仕切り部材を有する（４）記載の保冷ケース。
【００３７】
冷却パックは、再利用できる利点がある。保冷箱の本体の内部に複数の冷却パックの移動が困難な仕切り部材を有することにより、複数の瓶の保冷温度の偏りを防止できる。
【００３８】
（６）  前記第１収容ケース、前記第２収容ケース、及び前記保冷箱の順番に積層されて、ダンボール箱に箱詰めされる（３）から（５）のいずれかに記載の保冷ケース。
【００３９】
第１収容ケース、第２収容ケース、及び保冷箱の順番に積層されて、直方体の積層体となることが好ましく、この積層体の外面がダンボール箱の内面に密着するように、箱詰めされることが好ましい。ダンボール箱は、板紙が空気層を含んでいるので断熱効果があり、保冷ケースの梱包に適している。
【発明の効果】
【００４０】
本発明による保冷ケースは、内部に冷却材室を設けることなく、瓶の周囲に冷気が流入可能な開口を上面に設けているので、保冷ケースの床面積を大きくすることなく、複数の薬品用の瓶を収容できる。したがって、搭載面積が規定されたパレットに積載する保冷ケースの個数も増えて、輸送の効率も向上できる。
【発明を実施するための最良の形態】
【００４１】
以下、図面を参照して本発明を実施するための最良の形態を説明する。
【００４２】
図１は、本発明による保冷ケースの一実施形態を示す縦断面図である。図２は、前記実施形態による保冷ケースに収容される瓶の斜視図である。図３は、前記実施形態による保冷ケースの外観図であり、図３（Ａ）は、保冷ケースの平面図、図３（Ｂ）は、保冷ケースの正面図である。
【００４３】
図４は、前記実施形態による保冷ケースを構成する第１収容ケースの平面図である。図５は、前記実施形態による第１収容ケースの正面図である。図６は、前記実施形態による第１収容ケースの縦断面図であり、図４のＡ−Ａ矢視図である。図７は、前記実施形態による第１収容ケースの縦断面図であり、図４のＢ−Ｂ矢視図である。図８は、前記実施形態による第１収容ケースの斜視図である。
【００４４】
図９は、前記実施形態による保冷ケースを構成する第２収容ケースの平面図である。図１０は、前記実施形態による第２収容ケースの正面図である。図１１は、前記実施形態による第２収容ケースの下面図である。図１２は、前記実施形態による第２収容ケースの縦断面図であり、図１１のＡ−Ａ矢視図である。図１３は、前記実施形態による第２収容ケースの斜視図であり、第２収容ケースを下面から観ている。
【００４５】
図１４は、前記実施形態による保冷ケースを構成する保冷箱の本体の平面図である。図１５は、前記実施形態による保冷箱の本体の縦断図であり、図１４のＡ−Ａ矢視図である。
【００４６】
図１６は、前記実施形態による第１収容ケースがダンボール箱に搭載された状態を示す斜視図である。図１７は、図１６の状態から更に第２収容ケースがダンボール箱に搭載された状態を示す斜視図である。図１８は、図１７の状態から更に保冷箱の本体に複数の冷却パックが収容された状態を示す斜視図である。
【００４７】
最初に、本発明の実施形態による保冷ケースの構成を説明する。図１において、保冷ケース１０は、液体薬品が内部に充填された複数の瓶Ｇを収容している。図２に示されるように、瓶Ｇは、筒状の胴部ｇ１の上部に突出した細首部ｇ２の上端に設けた開口がキャップｇ３で止栓されている。
【００４８】
図１又は図３において、保冷ケース１０は、略直方体の第１収容ケース１と略直方体の第２収容ケース２を備えている。第１収容ケース１は、瓶Ｇが載置される凹部１ａを有している（図８参照）。凹部１ａは、瓶Ｇの胴部ｇ１を高さ方向の途上まで収容している。
【００４９】
図１又は図３において、第２収容ケース２は、第１収容ケース１の上面に密着するように載置している。図１２又は図１３を参照すると、第２収容ケース２は、第１収容室２ａと第２収容室２ｂを有している。第１収容室２ａは、底面が開口されており、胴部ｇ１の上部が部分的に当接する内壁２１ａを設けている。第２収容室２ｂは、第１収容室２ａに連通しており、瓶Ｇの細首部ｇ２を包囲している（図１参照）。
【００５０】
図１又は図１２を参照すると、第２収容ケース２は、第２収容室２ｂに貫通する第１冷気流入路２１を有している。第１冷気流入路２１は、第２収容ケース２の上面が開口されて冷気が流入可能となっている。
【００５１】
図２を参照すると、瓶Ｇは、３リットル程度の容量を有する、いわゆるガロン瓶を示している。瓶Ｇは、褐色のガラス瓶からなり、レジストを収容する容器に適している。胴部１ｇの上部と細首部ｇ２の基端部とは、円錐体状の傾斜面で接続されている。又、瓶Ｇは、細首部ｇ２に指を挿入可能な取っ手ｇ４を設けている。瓶Ｇは、耐薬品の透明な袋ｇ５に包装されて、保冷ケース１０に収容されている（図１参照）。
【００５２】
図３から図１３において、第１収容ケース１及び第２収容ケース２は、軽量であり断熱性と緩衝性を兼ね備えた発泡スチロールからなっている。発泡スチロールは、成形が容易であり、破損しやすい瓶Ｇの緩衝・梱包材として適している。第１収容ケース１及び第２収容ケース２は、それぞれ対向する一対の金型で成形されており、金型の費用を廉価にしている。
【００５３】
図１を参照すると、第１収容ケース１の凹部１ａに瓶Ｇが載置されることにより、瓶Ｇの立脚姿勢が維持される。図４又は図８を参照すると、凹部１ａの内壁には、複数の円弧状の溝１１ａを設けている。凹部１ａの内壁は、瓶Ｇの胴部１ｇに部分的に当接することになる。そして、これらの溝１１ａに冷気が導入されて、瓶Ｇが保冷される。
【００５４】
図４、図７及び図８を参照すると、第１収容ケース１の中央部には、矩形に開口された凹部１ｂが設けられている。凹部１ｂには、図示しない温度記録計が収容される。この温度記録計により、瓶Ｇの保冷温度を確認できる。
【００５５】
図８を参照すると、第１収容ケース１には、上面に突出した一対の段差１０ｃ・１０ｃが対角線上の２隅に設けられている。一方、図１３を参照すると、第２収容ケース２には、底面に突出した一対の段差２０ｃ・２０ｃが対角線上の２隅に設けられている。第２収容ケース２を第１収容ケース１の上面に載置すると、一対の段差１０ｃ・１０ｃと一対の段差２０ｃ・２０ｃとが嵌合して、第１収容ケース１の上面に密着できる（図３参照）。
【００５６】
図１２を参照すると、第１収容室２ａは、第２収容ケース２の底面が円形に開口されて、上面に向かって縮径する円錐体状の内壁２１ａを形成している。図１に示されるように、瓶Ｇの胴部１ｇの上部が内壁２１ａに当接している。
【００５７】
図１に示された状態で、第１収容ケース１と第２収容ケース２とをバンドなどで締結すれば、瓶Ｇは、第１収容ケース１の凹部１ａと第２収容ケース２の第１収容室２ａで挟持されるので、瓶Ｇの姿勢が維持される。
【００５８】
図１１又は図１３を参照すると、第１収容室２ａの内壁２１ａには、複数の円弧状の溝２１ｂを設けている。第１収容室２ａの内壁２１ａは、瓶Ｇの胴部１ｇの上部に部分的に当接することになる。そして、これらの溝２１ｂに第１冷気流入路２１から冷気が導入されて、瓶Ｇの胴部１ｇの周囲に冷気が流通可能な通路が確保される。
【００５９】
図９、図１１及び図１３を参照すると、第２収容ケース２は、上面の中央部が開口されて冷気が流入可能な第２冷気流入路２２を設けている。第２冷気流入路２２は、第２収容ケース２の上面から底面に貫通している。そして、第２冷気流入路２２は、第２収容ケース２の底面から第１収容室２ａに連通する溝２ｃを設けている。
【００６０】
図１又は図３において、保冷ケース１０は、第２収容ケースに載置する保冷箱３を更に備えている。保冷箱３は、第１冷気流入路２１及び第２冷気流入路２２（図９参照）に冷気を送出する冷却材Ｒを収容している。
【００６１】
図１又は図３において、保冷箱３は、略直方体の本体３１と板状の蓋体３２で構成されている。本体３１は、発泡材（発泡スチロール）で成形されており、上面が開口されて冷却材Ｒを収容している。蓋体３２は、発泡材（発泡スチロール）で成形されており、本体３１の開口を密閉している。
【００６２】
図１５を参照すると、本体３１は、底面から突出する一対の帯板状の凸部３１ｃ・３１ｃを設けている。一方、図９を参照すると、第２収容ケース２は、上面から陥没する一対一組の長尺の凹部２０ｄ・２０ｄを設けている。本体３１を第２収容ケース２に載置して、一対の凸部３１ｃ・３１ｃを一対の凹部２０ｄ・２０ｄに嵌合できる（図１参照）。
【００６３】
図１４及び図１５において、本体３１は、４つの第１冷気排出口３１１を底部に開口している。本体３１を第２収容ケース２に載置して、第１冷気排出口３１１を第１冷気流入路２１の開口に接続できる（図１参照）。
【００６４】
図１４及び図１５において、本体３１は、底部から開口に向けて突出するボス３１ａを中央部に設けている。そして、第２冷気排出口３１２をボス３１ａに開口している。本体３１を第２収容ケース２に載置して、第２冷気排出口３１２を第２冷気流入路２２の開口に接続できる（図９参照）。
【００６５】
図１に示された冷却材Ｒは、冷却剤が袋詰めされた複数の冷却パックからなっている。図１４及び図１５において、本体３１は、内部を区画する一対の仕切り部材３１ｂ・３１ｂを有している。一対の仕切り部材３１ｂ・３１ｂは、複数の冷却パックの移動を困難としている。なお、ボス３１ａも複数の冷却パックの移動が困難な仕切り部材として機能する。
【００６６】
次に、本発明の実施形態による保冷ケースの作用を説明する。
【００６７】
本発明の実施形態による保冷ケース１０は、第１収容ケース１の４隅に瓶Ｇを配置できる（図１６参照）。この場合、特許文献１の実施例２のように、一対の瓶を仕切るように冷却材室を中央部に設けていないので、第１収容ケース１の床面積を小さくできる。
【００６８】
図１に示されるように、冷却材Ｒを収容する保冷箱３を第２収容ケース２に載置すれば、冷却材Ｒの冷気が第１冷気流入路２１に流入して、４つの瓶Ｇを保冷できる。第２収容ケース２に載置される保冷箱は、前述した実施形態に限定されない。例えば、保冷箱は、底面が多孔板又は網目板などで構成してよく、この保冷箱にドライアイス又は複数の冷却パックを収容してよく、保冷箱の底面から第１冷気流入路２１に冷気が流入して４つの瓶Ｇを冷却できる。
【００６９】
本発明の実施形態による保冷ケース１０は、内部に冷却材室を設けることなく、瓶Ｇの周囲に冷気が流入可能な開口を上面に設けているので、保冷ケースの床面積を大きくすることなく、複数の薬品用の瓶Ｇを収容できる。したがって、搭載面積が規定されたパレットに積載する保冷ケースの個数も増えて、輸送の効率も向上できる。
【００７０】
図１３を参照すると、本発明の実施形態による保冷ケース１０は、第２冷気流入路２２に流入する冷気が溝２ｃを流通して、第１収容室２ａに流入するので、瓶Ｇの保冷を援助できる。又、保冷ケース１０は、第２冷気流入路２２が複数の第１収容室２ａを相互に連通しているので、複数の瓶Ｇの保冷温度を均等化できる。
【００７１】
図３を参照すると、本発明の実施形態による保冷ケース１０は、幅Ｗ＝３９０ｍｍ、奥行きＤ＝３９０ｍｍであり、正方形の床面積を有している。又、第１収容ケース１、第２収容ケース２、及び保冷箱３の順番に積層された、保冷ケース１０の高さＨは、５１４ｍｍである。
【００７２】
本発明の実施形態による保冷ケース１０は、次の手順でダンボール箱に梱包される。図１６を参照すると、最初に、ダンボール箱９の上部が開かれて、予め載置されていた第２収容ケース２及び保冷箱３がダンボール箱９から取り除かれる（図３参照）。次に、図示しない温度記録計が凹部１ｂに設置される。
【００７３】
次に、図１７に示されるように、第２収容ケース２が設置される。次に、図１８に示されるように、保冷箱３の本体３１が設置されて、所定数の冷却パックが本体３１の内部に投入される。次に、蓋体３２が取り付けられ、ダンボール箱９の上部が閉じられて、一連の梱包作業が終了する。そして、ダンボール箱９に梱包された保冷ケース１０は、直ちに空輸される。
【００７４】
本発明の実施形態によるダンボール箱９は、幅×奥行き×高さが４１０ｍｍ×４１０ｍｍ×５４０ｍｍであり、所要のパレットに３列×３行、すなわち１段当たり９個のダンボール箱９を搭載できる。３段程度は積載可能であり、パレットで一度に２７個のダンボール箱９を移送できる。
【００７５】
保冷レースに内蔵した温度記録計に記録されたデータから、保冷ケース１０の保冷温度を検証した。その結果、レジストの種類により、温度上昇カーブに多少の相違が認められたが、外気温度が３０℃の条件で、０℃以上２０℃の保冷適切温度を３０時間以上、約５０時間未満、保持できた。又、保管温度が５℃の条件下で、レジストの下限温度である０℃を下回る温度にならなかったことを確認できた。
【００７６】
なお、上記の検証は、市販の冷却パックを２日間以上、マイナス２０℃で冷凍したものを１０個、保冷ケース１０に投入して行った。又、レジスト入りの瓶Ｇは、２４時間冷蔵保存したものを使用した。
【００７７】
又、保冷ケース１０をダンボール箱９に梱包した状態で、落下試験を実施した。図３に示された保冷ケース１０の天地を逆さまにした状態で、１．２ｍの高さからダンボール箱９を落下させた。その結果、保冷箱３に破損及び亀裂が生じたが、瓶Ｇに損傷は発生しなかった。本発明の実施形態による保冷ケース１０は、耐衝撃性があることが立証された。
【図面の簡単な説明】
【００７８】
【図１】本発明による保冷ケースの一実施形態を示す縦断面図である。
【図２】前記実施形態による保冷ケースに収容される瓶の斜視図である。
【図３】前記実施形態による保冷ケースの外観図であり、図３（Ａ）は、保冷ケースの平面図、図３（Ｂ）は、保冷ケースの正面図である。
【図４】前記実施形態による保冷ケースを構成する第１収容ケースの平面図である。
【図５】前記実施形態による第１収容ケースの正面図である。
【図６】前記実施形態による第１収容ケースの縦断面図であり、図４のＡ−Ａ矢視図である。
【図７】前記実施形態による第１収容ケースの縦断面図であり、図４のＢ−Ｂ矢視図である。
【図８】前記実施形態による第１収容ケースの斜視図である。
【図９】前記実施形態による保冷ケースを構成する第２収容ケースの平面図である。
【図１０】前記実施形態による第２収容ケースの正面図である。
【図１１】前記実施形態による第２収容ケースの下面図である。
【図１２】前記実施形態による第２収容ケースの縦断面図であり、図１１のＡ−Ａ矢視図である。
【図１３】前記実施形態による第２収容ケースの斜視図であり、第２収容ケースを下面から観ている。
【図１４】前記実施形態による保冷ケースを構成する保冷箱の本体の平面図である。
【図１５】前記実施形態による保冷箱の本体の縦断図であり、図１４のＡ−Ａ矢視図である。
【図１６】前記実施形態による第１収容ケースがダンボール箱に搭載された状態を示す斜視図である。
【図１７】図１６の状態から更に第２収容ケースがダンボール箱に搭載された状態を示す斜視図である。
【図１８】図１７の状態から更に保冷箱の本体に複数の冷却パックが収容された状態を示す斜視図である。
【符号の説明】
【００７９】
１  第１収容ケース
１ａ  凹部
２  第２収容ケース
２ａ  第１収容室
２ｂ  第２収容室
１０  保冷ケース
２１  第１冷気流入路
２１ａ  第１収容室の内壁
Ｇ  瓶
ｇ１  胴部
ｇ２  細首部
【図１】
2010060151.tif 000003
【図２】
2010060151.tif 000004
【図３】
2010060151.tif 000005
【図４】
2010060151.tif 000006
【図５】
2010060151.tif 000007
【図６】
2010060151.tif 000008
【図７】
2010060151.tif 000009
【図８】
2010060151.tif 000010
【図９】
2010060151.tif 000011
【図１０】
2010060151.tif 000012
【図１１】
2010060151.tif 000013
【図１２】
2010060151.tif 000014
【図１３】
2010060151.tif 000015
【図１４】
2010060151.tif 000016
【図１５】
2010060151.tif 000017
【図１６】
2010060151.tif 000018
【図１７】
2010060151.tif 000019
【図１８】
2010060151.tif 000020